(57)【特許請求の範囲】
【請求項１】
ワイヤレスリモコンから送信される制御情報に付加されたこのワイヤレスリモコンを空気調和機が識別するアドレスと空気調和機内に登録されたアドレスとが一致したときに前記制御情報に従って制御を行う空気調和機において、前記ワイヤレスリモコンにアドレス切換スイッチを設け、このワイヤレスリモコンに、このアドレス切換スイッチ操作時の送信においてはアドレスが切換えられたことを示す信号を付加して送信し、前記アドレス切換スイッチが操作されないときの送信においては制御情報を送信する機能を設け、前記アドレスが切換えられたことを示す信号が付加されて送信されてきたとき、登録されたアドレスをこの切換えられたアドレスに変更する機能を備えた空気調和機。
【発明の詳細な説明】
【０００１】
【発明の属する技術分野】
本発明は、ワイヤレスリモコンによって制御指令が送信される空気調和機に関する。
【０００２】
【従来の技術】
近年の空気調和機は、赤外線ワイヤレスリモコン（以下、リモコンと称する）によって操作されるものが多く市販されている。また、マルチ型空気調和機も含めて一室に複数台の室内機を設置し、これらを夫々の室内機毎に異なるリモコンにて操作するようになっている。しかし、一つのリモコンを操作すると一室に設置された複数大の室内機が同じ反応を示して、室内機毎（マルチ型の場合は室内機毎、セパレートの場合は室外機も含む）に個別に運転操作をすることができないといった問題があった。
【０００３】
この問題を解決するため、電源投入後１回目のリモコン設定操作時のリモコン番号を意味するデータを記憶しておき、以降、制御指令情報と共に送信されてくるデータと比較して一致している場合、その制御指示を受け付けるように制御することが特開平４−３５９７４２号公報（以下、文献という）に開示されている。
【０００４】
【発明が解決しようとする課題】
しかしながら、上記従来技術では、電源投入後１回目の受信信号中のアドレスを空調ユニットのアドレスとして記憶し、２回目以降の受信時に、受信信号中のアドレスと、空調ユニットが記憶しているアドレスとを比較し、一致している場合のみ有効データとして受け付けるようにしているため、据え付け時に設定したアドレスを変更するには、電源をリセット（電源プラグを抜いて再び差し込む、高所に設置された室内機本体に設けられたメインスイッチをオフにして再びオンにする）しなければならず、面倒であるといった問題があった。
【０００５】
本発明の目的は、例えば、一室に複数の同一機種あるいはマルチ型の空調ユニットを設置した場合、設置後にワイヤレスリモコンを手元で操作するだけで、任意のタイミングで何回でも、アドレスの設定状態が切り換え可能な空気調和機を提供することにある。
【０００６】
【課題を解決するための手段】
上記目的は、ワイヤレスリモコンから送信される制御情報に付加されたこのワイヤレスリモコンを空気調和機が識別するアドレスと空気調和機内に登録されたアドレスとが一致したときに前記制御情報に従って制御を行う空気調和機において、前記ワイヤレスリモコンにアドレス切換スイッチを設け、このワイヤレスリモコンに、このアドレス切換スイッチ操作時の送信においてはアドレスが切換えられたことを示す信号を付加して送信し、前記アドレス切換スイッチが操作されないときの送信においては制御情報を送信する機能を設け、前記アドレスが切換えられたことを示す信号が付加されて送信されてきたとき、登録されたアドレスをこの切換えられたアドレスに変更する機能を備えことにより達成される。
【０００７】
【発明の実施の形態】
以下に、本発明の一実施の形態を、図１乃至図４を参照しながら詳細に説明する。
【０００８】
図１において、空調ユニット２の運転を操作するコントローラとが赤外線ワイヤレスで接続されている。このワイヤレスリモコン１には、空調ユニット２がワイヤレスリモコンを識別するための番号（以降アドレスと称す）を設定するアドレス設定手段３と、このアドレス設定手段３によって設定されたアドレスを送信するアドレス信号送信手段４と、空調ユニット２を制御するための制御情報設定手段５と、この制御情報を空調ユニット２に送信するための制御情報信号送信手段６が設けられている。
【０００９】
一方、空調ユニット２には、ワイヤレスリモコン１からのアドレス信号を受信するアドレス信号受信手段７と、このアドレス信号中のアドレスを記憶するためのアドレス記憶手段８と、ワイヤレスリモコン１からの制御情報信号（冷房、暖房、除湿等の運転切替え、温度設定、風速、風向設定等々）を受信するための制御情報信号受信手段９と、この制御情報信号受信時に信号中のアドレスとアドレス記憶手段８により記憶されているアドレスとが一致しているか否かを判定するアドレス確認手段１０と、このアドレスが一致する制御情報信号のみを取り込み、制御情報信号に基づいて空調ユニットを制御する空調運転手段１１とが設けられている。
【００１０】
そして、アドレス設定手段３、アドレス信号送信手段４、アドレス信号受信手段５及びアドレス記憶手段８にてアドレス切換手段１２を構成し、制御情報設定手段５、制御情報信号送信手段６制御情報信号受信手段９、アドレス確認手段及び空調運転手段１１にて空調制御手段１３が構成されている。
【００１１】
上記の通り、アドレス切換手段(12)と空調制御手段(13)とを区別することにより、任意のタイミングで、何回でも、アドレスの設定状態を切り換えられるようにしている。
【００１２】
すなわち、ワイヤレスリモコン１のアドレス切換スイッチ部操作時に送信する送信信号と、操作キースイッチ部操作時に送信する送信信号とを区別することで、電源リセット後、任意のタイミングでアドレスを切り換え、複数の空調ユニットを選択的に制御することができるようにしている。
【００１３】
図２は、本実施の形態の構成の一例を示すブロック図で、ワイヤレスリモコン１には、冷暖除湿運転の切換、風向切換、風速切換、タイマ設定などの空調ユニットを操作する操作キースイッチ部１４、操作状態を表示する液晶表示部１５、及びアドレスの設定を切り換えるアドレス切換スイッチ部１６が設けられている。このアドレス切換スイッチ部１６は、本実施の形態では、スイッチをＡ側に操作するとＡアドレスが、Ｂ側に操作するとＢアドレスが設定されるように構成されている。
【００１４】
操作キースイッチ部１４およびアドレス切換スイッチ部１６操作時に入力された情報は、リモコン側制御部１７で編集され赤外線信号として、赤外線送信部１８から、空調ユニット２に向けて送信される。
【００１５】
空調ユニット２には、ワイヤレスリモコン１からの赤外線信号を受信する赤外線受信部１９と、空調ユニット側制御部２０において受信した信号のコマンドを解析し、アドレス設定信号の場合は、アドレス情報を不揮発性メモリ２１に書き込む。また、解析結果が制御情報信号の場合は、不揮発性メモリ２１に記憶されているアドレス情報を読み出し、制御情報信号中のアドレスと比較し一致した場合のみ受信データを取り込み、この取り込んだ受信情報に基づいてドライブ回路２２に制御出力することで空調運転を行う。
【００１６】
図３は、ワイヤレスリモコン１から送信される、アドレス設定信号と制御情報設定信号の送信データフォーマットを示すものであり、いずれも製品識別情報と空調制御情報で構成されている。
【００１７】
アドレス切換スイッチ部１６の操作時に送信されるアドレス設定信号と、操作キースイッチ部１４の操作時に送信される制御情報設定信号とを区別するために、ワイヤレスリモコン操作時に、空調制御情報中のコマンドコードに操作したスイッチに対応したデータをセットし送信する。
【００１８】
したがって、空調ユニット２は、受信データ中のコマンドコードを解析することで、操作されたスイッチの特定ができ、アドレス設定信号受信時には、不揮発性メモリのアドレスデータを更新し、制御情報信号受信時には、受信情報に基づき空調運転を行うことができる。
【００１９】
また、制御情報信号受信時に、空調制御情報中のアドレスコードが、不揮発性メモリに記憶されているアドレスと一致している場合のみ受信データを有効にすることで、複数の空調ユニットを選択的に制御可能としている。
【００２０】
図４は、上記構成例の処理手順を示したフローチャートである。先ず、ワイヤレスリモコン１において、ステップＳ１で、アドレス切換入力の有無を検出する。アドレス切換入力が有りの場合は、ステップＳ２に進み、アドレス情報をセットしステップＳ５へ進む。ステップＳ１で、アドレス切換入力が無かった場合は、ステップＳ３へ進み、操作キー入力の有無を検出する。操作キー入力が有りの場合は、ステップＳ４に進み制御情報をセットし、ステップＳ５へ進む。ステップＳ３で操作キー入力が無かった場合は、ステップＳ１へ戻り、再度アドレス切換入力および操作キー入力の検出を繰り返し行う。ステップＳ５では、ステップＳ２またはステップＳ４でセットされた情報を赤外線信号に変換し、空調ユニット２に向けてワイヤレス信号の送信出力を行う。
【００２１】
次に、空調ユニット２側では、ステップＳ６で、ワイヤレス信号が受信されるのを待ち、受信有りの場合にステップＳ７に進みコマンドデータの解析を行う。解析結果がアドレス設定信号の場合には、ステップＳ８に進み、アドレス記憶更新を行い終了となる。ステップＳ７で、アドレス設定信号に該当しない場合は、ステップＳ９へ進み、制御情報設定信号であるか確認する。制御情報設定信号の場合は、ステップＳ10へ進み、記憶しているアドレスと受信信号中のアドレスとが一致しているか比較し、一致している場合のみステップＳ11へ進み、制御出力を行う。ステップＳ９およびステップＳ10において該当しなかった場合は、ステップＳ12へ進み、受信信号を無視する処理を行い終了とする。
【００２２】
次に操作の仕方について説明する。
複数の空調ユニットを個別の運転内容で独立に制御する場合、先ずワイヤレスリモコン１の操作方向を一台の空調ユニット２のみが反応する方向におき、ワイヤレスリモコン１のアドレス切換スイッチ部１６を操作してＡ側にスイッチを操作する。そして送信ボタンを押して送信する。この操作により、この空調ユニットはアドレスＡを持った制御情報設定信号のみを受け付けるようになる。次に、もう１台の空調ユニット２のみが反応する方向に上記とは別のワイヤレスリモコン１を向けて、このワイヤレスリモコン１のアドレス切換スイッチ部１６を操作してＢ側にスイッチを操作する。そして送信ボタンを押して送信する。この操作により、この空調ユニットはアドレスＢを持った制御情報設定信号のみを受け付けるようになる。
【００２３】
一台のワイヤレスリモコン１によって２台の空調ユニットを同時に操作する場合、これら２台の空調ユニット２の両者が反応する方向にワイヤレスリモコン１を向けて、このワイヤレスリモコン１のアドレス切換スイッチ部１６を操作してＡ側にスイッチを操作する。そして送信ボタンを押して送信する。この操作により、これら空調ユニットはアドレスＡを持った制御情報設定信号を受け付けるようになり同時に操作される。
【００２４】
上記、実施形態でのアドレスは、Ａ及びＢ２種類を想定しているが、２種類に限らず、切換スイッチに応じた種類のアドレスを持つことで、同様の効果が得られる。
【００２５】
以上本実施の形態によれば、一室に複数の同一機種あるいはマルチ型の空調ユニットを設置した場合、設置後にワイヤレスリモコンを手元で操作するだけで、任意のタイミングで何回でも、アドレスの設定状態が切り換えられ、複数の空調ユニットを個別の運転内容で独立に制御させることはもとより、同一の運転内容で同時に制御させるというように、状況に応じて選択的に制御することができる。
【００２６】
上記制御により、例えば、真夏や真冬など、ある期間において、毎日の運転内容が決まっていて、複数台の空調ユニットを同じ設定状態で動作させる場合、あらかじめ複数台の空調ユニットのアドレスをアドレス切換手段により、同じアドレスに切り換えておくことにより、１個のワイヤレスリモコンを１回操作するだけで、１度に複数台の空調ユニットを制御することができるため、各々の空調ユニットに１対１で対応するワイヤレスリモコンを設置台数分、操作する手間が省ける。
【００２７】
また、あるワイヤレスリモコンを紛失した場合や、故障あるいは電池切れ等で使用不可能となった場合に、別のリモコンを使用不可能となったワイヤレスリモコンと同一のアドレスに切り換えるだけで、使用不可能となったワイヤレスリモコンに対応していた空調ユニットを動作させることができる等の効果が有る。
【００２８】
【発明の効果】
以上、本発明によれば、空気調和機を設置後にワイヤレスリモコンを手元で操作するだけで、任意のタイミングで何回でも、アドレスの設定状態を切り換えることができる。
【図面の簡単な説明】
【図１】本実施形態における空気調和機の制御手段を示すブロック図である。
【図２】同制御方式の一実施の形態における、全体の構成を示すブロック図である。
【図３】同制御方式の一実施の形態における、送信データのフォーマットを示す説明図である。
【図４】同制御方式の一実施の形態における、処理手順を示すフローチャートである。
【符号の説明】
１…ワイヤレスリモコン、２…空調ユニット、３…アドレス設定手段、４…アドレス信号送信手段、５…制御情報設定手段、６…制御情報信号送信手段、７…アドレス信号受信手段、８…アドレス記憶手段、９…制御情報信号受信手段、１０…アドレス確認手段、１１…空調運転手段、１２…アドレス切換手段、１３…空調制御手段、１４…操作キースイッチ、１５…液晶表示部、１６…アドレス切換スイッチ、１７…リモコン側制御部(CPU)、１８…赤外線送信部、１９…赤外線受信部、２０…空調ユニット側制御部(CPU)、２１…不揮発性メモリ(EEPROM)、２２…ドライブ回路。
【図１】
0003818035.tif 000002
【図２】
0003818035.tif 000003
【図３】
0003818035.tif 000004
【図４】
0003818035.tif 000005